(57)【要約】【課題】  モバイル装置に、ＷｉＦｉおよび／またはＤＴＰＴ（デスクトップパススルー）接続設定を使用したネットワークアクセス用のプロビジョニングを自動的に行うこと。【解決手段】  接続設定によってユーザは、手動の介入なしでメタネットワーク（インターネットや企業ネットワークなど）にアクセスできるようになる。本発明の一実施形態によれば、ＸＭＬベースの機構は、無線アプリケーションプロトコル（ＷＡＰ）ＸＭＬ構造を使用し、その構造を拡張してＷｉＦｉ接続およびＤＴＰＴ接続を定義する。定義されたＷｉＦｉ接続およびＤＴＰＴ接続は、例えば無線通信を介して、または企業ＩＴアプリケーションによってモバイル装置に自動的にプロビジョニングされる。【選択図】  図４
2005080308.tif 000002
【特許請求の範囲】
【請求項１】
モバイル装置とメタネットワークとの間のパススルー接続をプロビジョニングする方法であって、
前記モバイル装置のための第１のパススルー定義を取得すること、
前記第１のパススルー定義を使用して前記モバイル装置を前記メタネットワークに接続すること、
前記モバイル装置で、前記メタネットワークへの接続を介して第２のパススルー定義を受信すること、
前記第２のパススルー定義を前記モバイル装置に格納すること
を備えたことを特徴とする方法。
【請求項２】
前記第２のパススルー定義を使用して前記モバイル装置を前記メタネットワークに接続するステップをさらに含むことを特徴とする請求項１に記載の方法。
【請求項３】
前記パススルー定義はＷＡＰ  ＸＭＬスキーマに組み込まれることを特徴とする請求項１に記載の方法。
【請求項４】
前記パススルー接続はデスクトップパススルー接続であることを特徴とする請求項１に記載の方法。
【請求項５】
前記メタネットワークはインターネットであることを特徴とする請求項４に記載の方法。
【請求項６】
前記パススルー接続はＷｉＦｉ接続であることを特徴とする請求項１に記載の方法。
【請求項７】
前記メタネットワークは企業ネットワークであることを特徴とする請求項４に記載の方法。
【請求項８】
前記第１のパススルー定義はＳＩＭカードを使用して取得されることを特徴とする請求項１に記載の方法。
【請求項９】
前記第１のパススルー定義は、前記モバイル装置のユーザの手動入力によって取得されることを特徴とする請求項１に記載の方法。
【請求項１０】
前記モバイル装置で、前記メタネットワークへの接続を介して第３のパススルー定義を受信すること、
前記第３のパススルー定義を前記モバイル装置に格納すること
をさらに含むことを特徴とする請求項１に記載の方法。
【請求項１１】
パススルー接続を使用してメタネットワークに接続するモバイル装置であって、
前記モバイル装置のために第１のパススルー定義を取得するように構成されているインターフェースと、
前記第１のパススルー定義を使用して前記モバイル装置を前記メタネットワークに接続するように構成されており、前記メタネットワークへの接続を介して第２のパススルー定義を受信するようにさらに構成されているネットワークインターフェースと、
前記第２のパススルー定義を格納するメモリと
を含むことを特徴とするモバイル装置。
【請求項１２】
前記ネットワークインターフェースは、前記第２のパススルー定義を使用して前記モバイル装置を前記メタネットワークに接続するようにさらに構成されていることを特徴とする請求項１１に記載の装置。
【請求項１３】
前記パススルー定義はＷＡＰ  ＸＭＬスキーマに組み込まれることを特徴とする請求項１１に記載の装置。
【請求項１４】
前記パススルー接続はデスクトップパススルー接続であることを特徴とする請求項１１に記載の装置。
【請求項１５】
前記メタネットワークはインターネットであることを特徴とする請求項１４に記載の装置。
【請求項１６】
前記パススルー接続はＷｉＦｉ接続であることを特徴とする請求項１１に記載の装置。
【請求項１７】
前記メタネットワークは企業ネットワークであることを特徴とする請求項１４に記載の装置。
【請求項１８】
前記第１のパススルー定義はＳＩＭカードを使用して取得されることを特徴とする請求項１１に記載の装置。
【請求項１９】
前記第１のパススルー定義は、前記モバイル装置のユーザの手動入力によって取得されることを特徴とする請求項１１に記載の装置。
【請求項２０】
前記ネットワークインターフェースは、前記メタネットワークへの接続を介して第３のパススルー定義を受信し、前記第３のパススルー定義を使用して前記メタネットワークに接続するようさらに構成されていることを特徴とする請求項１１に記載の装置。
【請求項２１】
モバイル装置とメタネットワークとの間のパススルー接続をプロビジョニングする命令を含むコンピュータ可読媒体であって、
前記モバイル装置のための第１のパススルー定義を取得すること、
前記第１のパススルー定義を使用して前記モバイル装置を前記メタネットワークに接続すること、
前記モバイル装置で、前記メタネットワークへの接続を介して第２のパススルー定義を受信すること、
前記第２のパススルー定義を前記モバイル装置に格納すること
を含むことを特徴とする媒体。
【請求項２２】
前記第２のパススルー定義を使用して前記モバイル装置を前記メタネットワークに接続する命令をさらに含むことを特徴とする請求項２１に記載の媒体。
【請求項２３】
前記パススルー定義はＷＡＰ  ＸＭＬスキーマに組み込まれることを特徴とする請求項２１に記載の媒体。
【請求項２４】
前記モバイル装置で、前記メタネットワークへの接続を介して第３のパススルー定義を受信し、前記第３のパススルー定義を前記モバイル装置に格納する命令をさらに含むことを特徴とする請求項２１に記載の媒体。
【請求項２５】
パススルー接続を使用してメタネットワークに接続するモバイル装置であって、
前記モバイル装置のための第１のパススルー定義を取得する手段と、
前記第１のパススルー定義を使用して前記モバイル装置を前記メタネットワークに接続し、前記メタネットワークへの接続を介して第２のパススルー定義を受信する手段と、
前記第２のパススルー定義を格納する手段と
を含むことを特徴とするモバイル装置。
【発明の詳細な説明】
【技術分野】
【０００１】
本発明は、ＷｉＦｉ接続およびデスクトップパススルー接続のためのＷＡＰ  ＸＭＬ拡張に関する。
【背景技術】
【０００２】
今日、様々なネットワークとインターフェースをとるように設計されている様々なモバイル装置がある。例えば、ＰＤＡ（Ｐｅｒｓｏｎａｌ Ｄｉｇｉｔａｌ Ａｓｓｉｓｔａｎｔｓ）、「スマート」フォン、ポケットＰＣ、ラップトップコンピュータなどがある。これらの装置は次第に、増加しつつあるネットワークを介して通信する機能を含むようになってきている。モバイル装置のユーザは、ネットワークへの様々な接続を有する異なる領域を移動する間に様々な種類の様々なネットワークを介して通信をすることが多い。
【０００３】
モバイル装置には、ユーザが様々なネットワークにアクセスできる情報が「プロビジョニング」（“ｐｒｏｖｉｓｉｏｎｅｄ”）される。例えばユーザは、特定のネットワークへのアクセスに必要な情報を手動で入力することができる。さらに、ユーザがアクセス情報を手動で入力する必要がないように、メーカーまたはサービスプロバイダはモバイル装置に「事前にプロビジョニング」（“ｐｒｅ−ｐｒｏｖｉｓｉｏｎｅｄ”）しておくことができる。ユーザが、特定のモバイル装置にプロビジョニングされていないネットワークにアクセスしようとするとき、モバイル装置のプロビジョニング情報を追加し、または変更する必要がある場合がある。
【発明の開示】
【発明が解決しようとする課題】
【０００４】
本発明は、様々なネットワークにわたるモバイル装置の改良されたユーザビリティを対象にしている。ユーザビリティを改良する一態様は、特定のいくつかのネットワークを介して通信するようにモバイル装置のプロビジョニングを向上させることによる。特定のモバイル装置がネットワークプロビジョニング情報を含んでいないとき、ネットワーク通信を使用可能にするには、この情報をモバイル装置に入力する必要がある。ユーザはしばしば、プロビジョニング情報を手動で入力することを求められ、それによってしばしばエラーが生じ、ユーザはフラストレーションを感じる。あるいは、加入者識別モジュール（「ＳＩＭカード」）などのメモリ装置をプロビジョニング情報で事前にプログラミングし、モバイル装置に挿入しておくことができる。しかし、事前にプログラミングされたメモリ装置を使用することは、コスト、配布、メンテナンスなど、ハードウェアソリューションに関連する制限を伴う。
【課題を解決するための手段】
【０００５】
本発明は、ＷｉＦｉおよび／またはＤＴＰＴ（デスクトップパススルー）接続設定によるモバイル装置の自動プロビジョニングを提供する。接続設定によってユーザは、手動の介在なしでメタネットワーク（インターネットや企業ネットワークなど）にアクセスできるようになる。本発明の一実施形態によれば、ＸＭＬベースの機構は、無線アプリケーションプロトコル（ＷＡＰ）ＸＭＬ構造を使用し、その構造を拡張してＷｉＦｉ接続およびＤＴＰＴ接続を定義する。定義されたＷｉＦｉ接続およびＤＴＰＴ接続は、例えば無線通信を介して、または企業ＩＴアプリケーションによってモバイル装置に自動的にプロビジョニングされる。
【発明を実施するための最良の形態】
【０００６】
簡単に言えば、本発明は、関連する情報をモバイル装置に効率的にダウンロードすることを対象にしている。情報は、モバイル装置によってサポートされているファイルタイプやモバイル装置上で使用可能な記憶装置の量などに基づくことができる。本発明のこれらおよび他の態様は、次の詳細な説明を読めば当分野の技術者には理解できよう。
【０００７】
（動作環境例）
図１を参照すると、本発明を実施するシステムの一例は、コンピューティング装置１００など、モバイル装置として動作するように構成することができるコンピューティング装置を含んでいる。ごく基本的な構成では、コンピューティング装置１００は典型的には、少なくとも１つの処理ユニット１０２およびシステムメモリ１０４を含む。コンピューティング装置の正確な構成および種類にもよるが、システムメモリ１０４は、揮発性（ＲＡＭなど）、不揮発性（ＲＯＭ、フラッシュメモリなど）、またはその２つの何らかの組み合わせとすることができる。システムメモリ１０４は典型的には、オペレーティングシステム１０５、１つまたは複数のプログラムモジュール１０６を含んでおり、またプログラムデータ１０７を含むことができる。この基本的な構成は、図１の点線１０８内に、これらの構成要素で示している。
【０００８】
コンピューティング装置１００は、追加の特徴または機能を有していてもよい。例えば、コンピューティング装置１００は、磁気ディスク、光ディスク、テープなど、追加のデータ記憶装置（リムーバブルおよび／または非リムーバブル）を含んでいてもよい。こうした追加の記憶装置は、図１に、リムーバブル記憶装置１０９および非リムーバブル記憶装置１１０で示している。コンピュータ記憶媒体には、コンピュータ可読命令、データ構造、プログラムモジュール、他のデータなど、情報を記憶するための任意の方法または技術で実施される揮発性および不揮発性の、リムーバブルおよび非リムーバブルの媒体などがある。システムメモリ１０４、リムーバブル記憶装置１０９、および非リムーバブル記憶装置１１０は、すべてコンピュータ記憶媒体の例である。コンピュータ記憶媒体には、それだけには限定されないが、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光記憶装置、磁気カセット、磁気テープ、磁気ディスク記憶装置または他の磁気記憶装置、または所望の情報の格納に使用でき、コンピューティング装置１００からアクセスできる他の任意の媒体などがある。こうした任意のコンピュータ記憶媒体は、装置１００の一部とすることができる。コンピューティング装置１００は、キーボード、マウス、ペン、音声入力装置、タッチ入力装置などの入力装置１１２を備えることもできる。ディスプレイ、スピーカ、プリンタなどの出力装置１１４を含んでいてもよい。こうした装置は、当分野ではよく知られており、ここでは詳細に説明する必要はない。
【０００９】
また、コンピューティング装置１００は、装置が例えばネットワークを介して他のコンピューティング装置１１８と通信できるようにする通信接続１１６を含んでいてもよい。通信接続１１６は、通信媒体の一例である。通信媒体は通例、搬送波または他の移送機構などの変調されたデータ信号中のコンピュータ可読命令、データ構造、プログラムモジュール、あるいはその他のデータによって具現することができ、任意の情報伝達媒体を含む。用語「変調されたデータ信号」とは、信号中に情報を符号化する形でその特性の１つまたは複数を設定または変化させた信号を意味する。例として、これには限定されないが、通信媒体には、有線ネットワーク、直接配線された接続などの有線媒体、および音響、ＲＦ、赤外線、その他の無線媒体などの無線媒体が含まれる。本明細書で使用する「コンピュータ可読媒体」という用語は、記憶媒体および通信媒体の両方を含む。
【００１０】
図２を参照すると、本発明を実施するシステムの一例は、モバイル装置２００など、モバイル装置として構成されたコンピューティング装置を含んでいる。モバイル装置２００は、プロセッサ２６０、メモリ２６２、ディスプレイ２２８、周辺装置ポート、およびキーパッド２３２を有する。メモリ２６２は一般に、揮発性メモリ（ＲＡＭなど）、および不揮発性メモリ（ＲＯＭ、フラッシュメモリなど）を含む。モバイル装置２００は、メモリ２６２に存在しプロセッサ２６０上で実行される、Ｍｉｃｒｏｓｏｆｔ（登録商標）社のＷｉｎｄｏｗｓ（登録商標）ＣＥオペレーティングシステムや他のオペレーティングシステムなどのオペレーティングシステム２６４を含む。キーパッド２３２は、（典型的な電話上にあるような）プッシュボタン数字ダイヤルパッド、（従来のキーボードなどの）マルチキーキーボードでよい。ディスプレイ２２８は、液晶ディスプレイ、または一般にモバイル装置で使用されている他の任意の種類のディスプレイとすることができる。ディスプレイ２２８は、タッチセンシティブでよく、その場合は入力装置としての役割も果たすことになる。周辺装置ポートは、追加のメモリカード、ゲームカード、モデムカード、または他の周辺装置を受け付けるタイプのものでよい。
【００１１】
１つまたは複数のアプリケーションプログラム２６６は、メモリ２６２にロードされ、オペレーティングシステム２６４上で稼働する。アプリケーションプログラムの例には、電話ダイヤラプログラム、インストールウィザードプログラム、電子メールプログラム、スケジューリングプログラム、ＰＩＭ（個人情報管理）プログラム、文書処理プログラム、スプレッドシートプログラム、インターネットブラウザプログラムなどがある。モバイルコンピューティング装置２００は、メモリ２６２内に不揮発性記憶装置２６８も含む。不揮発性記憶装置２６８は、モバイルコンピューティング装置２００の電源が切れた場合に失われてはならない永続的な情報を格納するために使用することができる。アプリケーション２６６は、例えば電子メールアプリケーションで使用する電子メールまたは他のメッセージ、ＰＩＭで使用する連絡先情報、スケジューリングプログラムで使用する予約情報、文書処理プログラムで使用する文書、デバイスドライバプログラムなど、記憶装置２６８内の情報を使用し、また情報を記憶装置２６８に格納することができる。
【００１２】
モバイルコンピューティング装置２００は、１つまたは複数のバッテリとして実装することができる電源装置２７０を有する。電源装置２７０は、バッテリを補うまたは再充電する、ＡＣアダプタやパワードドッキングクレードル（ｐｏｗｅｒｅｄ  ｄｏｃｋｉｎｇ  ｃｒａｄｌｅ）などの外部電源をさらに含むことができる。
【００１３】
また、モバイルコンピューティング装置２００には、ＬＥＤおよび音声インターフェース２７４の２種類の外部通知機構が示されている。これらの装置は、バッテリ電源を保護するためにプロセッサ２６０および他の構成要素がシャットダウンした場合でさえも、起動されると、通知機構が要求した期間の間電源が入ったままになるように、電源装置２７０に直接結合することができる。ＬＥＤは、ユーザが装置の電源オン状態を指示する行動を起こすまで、いつまでも電源が入ったままであるようにプログラムすることができる。音声インターフェース２７４は、可聴信号をユーザに提供し、また可聴信号をユーザから受信するために使用される。例えば、音声インターフェース２７４は、可聴出力を提供するスピーカ、および可聴入力を受信するマイクロフォンに結合して、例えば電話での会話を容易にすることができる。
【００１４】
また、モバイルコンピューティング装置２００は、装置が例えば無線ネットワークを介して他のコンピューティング装置と通信できるようにする通信接続を含んでいてもよい。モバイルコンピューティング装置２００は、無線周波数通信（ｒａｄｉｏ ｆｒｅｑｕｅｎｃｙ ｃｏｍｍｕｎｉｃａｔｉｏｎｓ）を送受信する機能を実行する無線インターフェース層（ｒａｄｉｏ  ｉｎｔｅｒｆａｃｅ  ｌａｙｅｒ）２７２も含んでいる。無線インターフェース層２７２は、通信事業者またはサービスプロバイダを介してモバイルコンピューティング装置２００と外界との間の無線接続を容易にする。無線インターフェース層２７２との間の伝送は、オペレーティングシステム２６４の制御下で行われる。言い換えれば、無線インターフェース層２７２によって受信される通信は、オペレーティングシステム２６４を介してアプリケーションプログラム２６６に発信される。またその逆も同様である。
【００１５】
（ＷｉＦｉおよびＤＴＰＴシステム例）
図３は、本発明の態様によるパススループロビジョニングシステム３００の概略を示す機能ブロック図である。サーバ３１０は、図１との関連で上述したものなどのコンピューティング装置であり、モバイル装置３２０は、図２との関連で上述したものなどのモバイルコンピューティング装置である。
【００１６】
本発明の一実施形態では、サーバ３１０は、企業ネットワーク３４０との安全な接続を確立する企業ネットワーク上のサーバとして構成される。ＷＡＮの例には、ゲートウェイ、ルータ、スイッチ、ハブなどのホストを介して何百万ものコンピュータと接続するインターネット（３５０）がある。ＬＡＮの例には、単一のオフィス内で複数のコンピュータを接続するために使用するネットワークがある。ＷＡＮは、複数のＬＡＮを接続することができる。
【００１７】
いくつかのモバイル装置を１人のユーザに関連付けることができる。例えばユーザは、ＰＤＡ、セルラー式電話、電子メール装置などを持っている場合がある。一実施形態では、サーバ３１０は、ＷｉＦｉ接続および／またはＤＴＰＴ接続などのパススルー接続に関するデータをもつパススループロビジョニングデータベースを維持する。
【００１８】
典型的なモバイル装置は、複数の接続パスを使用してインターネットまたは企業ネットワークに接続できる能力を有する。ＷｉＦｉ接続は、モバイル装置と企業ネットワークとの通信を可能とし、ＤＴＰＴ接続は、モバイル装置とインターネットとの通信を可能とする。ＸＭＬベースの機構は、ＷＡＰ  ＸＭＬ構造を使用し、その構造を拡張してこうしたパススルー接続を定義し、無線を介して、または企業または任意の他の手段（例えばＳＩＭカードベースのプロビジョニング、Ｂｌｕｅｔｏｏｔｈなど）によって提供されるＩＴアプリケーションによって、装置にパススルー接続を自動的にプロビジョニング（ｐｒｏｖｉｓｉｏｎ）するように指定される。
【００１９】
図３内に示すように、モバイル装置３２０は、インターネット３５０、ＷＡＰ  Ｗｅｂサイト３７８、ＭＭＳ  Ｗｅｂサイト３６６、および企業ネットワーク３４０に接続することができる。モバイル装置３２０は、Ｃｏｒｐ  ＲＡＳ３５４およびＷｉＦｉ３５２を使用して企業Ｗｅｂサイト３４０に接続する。モバイル装置３２０は、ＤＴＰＴ３５８、ＧＰＲＳ  ２  ３５６、およびプロキシ３８０を介してインターネット３５０に接続する。モバイル装置３２０は、ＧＰＲＳ  １（３６０）、ＲＡＳ  １（３６２）、およびＳＭＳＣ  ３６４を介してＷＡＰ  Ｗｅｂサイト３７８に接続する。モバイル装置３２０は、ＧＰＲＳ  ３（３７０）を通ってＭＭＳゲートウェイ３６８を介してＭＭＳ  Ｗｅｂサイト３６６に接続する。
【００２０】
企業ネットワーク３４０からＷＡＰ  Ｗｅｂサイトへは、Ｃｏｒｐ  ＲＡＳ３５４からＣｏｒｐ  ＷＡＰゲートウェイへ、さらにＳＯＣＫＳプロキシおよびＨＴＴＰプロキシを介したインターネットへのパスがある。インターネットから企業ネットワークへは、ＶＰＮが使用される。
【００２１】
モバイル装置とメタネットワーク（インターネット３５０や企業ネットワーク３４０など）との間の通信を確立するためにパススルー接続を使用する。ＷｉＦｉ（ＩＥＥＥ標準８０２．１１としても知られている）およびＤＴＰＴ（ＵＳＢ接続によるものなど）はパススルー接続の２つの例であり、これらが次第に使用されるようになってきている。
【００２２】
ＷｉＦｉベースの無線ネットワークは、企業、および空港や喫茶店などの公共の場の中で次第に普及しつつある。したがって多くの新しいラップトップコンピュータおよびモバイル装置は、ＷｉＦｉネットワークの普及を活用できるように、内蔵のＷｉＦｉサポートを有している。ＷｉＦｉネットワークは、典型的なセルラー式データ接続が提供するものより高い帯域幅を提供する高速無線データ接続を提供する。
【００２３】
メタネットワークへの高い帯域幅のデータ接続を有するデスクトップコンピュータを使用して、モバイル装置によりメタネットワークに接続することができる。こうしたデスクトップパススルー（ＤＴＰＴ）接続は、モバイル装置とメタネットワークとの間の高速データ接続を、消費電力が相対的に最低限に抑えられるという追加の利点とともに提供する。
【００２４】
企業では、次第に、各自のオフィスにおいてＷｉＦｉネットワークを備えるようになってきており、ＷｉＦｉ接続設定をモバイル装置に自動的にプロビジョニングして、ユーザが手動の介入無しにＷｉＦｉネットワークにアクセスできるように望むようになってきている。また、多くの企業は、公共のＷｉＦｉアクセスポイントを提供しており、モバイル装置が無線ネットワークの受信範囲内にあるときはいつでも、そのプロビジョニング情報がモバイル装置に自動的にプロビジョニングされることが望まれる。したがって、最初のプロビジョニング情報（ＤＴＰＴ接続用の手動によるプロビジョニングが初めてモバイル装置に行われるときなど）は格納され、後で自動プロビジョニングに使用される。
【００２５】
ＸＭＬを介したこうしたプロビジョニングを使用可能にすることによって、装置をパススルー接続の設定でブートストラップし、その設定を定期的に更新するよく知られている標準化された機構をオペレータおよび企業に提供する。標準のＷＡＰ  ＸＭＬ構造は、パススルー接続設定をサポートするように拡張される。
【００２６】
ＸＭＬベースのプロビジョニングを、装置をパススルー接続で構成する手段として使用する。パススルー接続のプロビジョニングを使用可能にするために、パススルー定義をＷＡＰ  ＸＭＬスキーマの一部とし、スタンドアロン特性を使用して（またはＷＡＰ  ＸＭＬにおいてすでに定義されている特性を拡張して）パススルー接続を定義する。
【００２７】
パススルー接続のＸＭＬベースのプロビジョニングを使用することによって、オペレータまたは企業は、装置をセルラー式データ接続およびプロキシ接続に加えて、パススルー接続設定でブートストラップできるようになる。初めてユーザがパススルー接続を行うとユーザ入力を受け、ＸＭＬを使用してユーザ入力情報を装置にプロビジョニングするユーザインターフェース（ＵＩ）プログラムによって、パススルー接続をプロビジョニングすることができる。ユーザ入力情報をプロビジョニングすることによって、例えばユーザ入力情報が保存されているデスクトップコンピュータにユーザがモバイル装置をドッキングするといつでも、モバイル装置はこの情報を使用することができる。パススルー設定をプロビジョニングするためのよく知られている標準化された機構を提供することに加えて、ＸＭＬを使用することによって、これらの設定の定期的な更新を容易に行うことができる。ＸＭＬ情報は、様々な手段を介して配布することができる。
【００２８】
ＷＡＰ  ＸＭＬは、セルラー式データ接続（ＧＳＭ−ＣＳＤ、ＧＳＭ−ＧＰＲＳなど）、プロキシ接続、およびアクセス特性をプロビジョニングするように、すでにＸＭＬスキーマを定義している。合わせて、これらによって装置に様々な接続設定、およびアプリケーション固有の接続基本設定をプロビジョニングすることができる。ＷｉＦｉ定義およびＤＴＰＴ定義をＷＡＰ  ＸＭＬの一部とすることによって、ＷＡＰ  ＸＭＬ標準はより完全になると同時に、パススループロビジョニングを使用できるようにするために、ＷＡＰによって定義された既存の特性／パラメータ構造を使用することによって要求される追加のＸＭＬを装置が実装することが容易になる。例えば、ＮＡＰＤＥＦ特性を拡張して新しいベアラタイプ（ｂｅａｒｅｒ ｔｙｐｅｓ）を含めるようにすることによって、モバイル装置に、ＷｉＦｉおよびＤＴＰＴネットワークを介したパススルー接続用のプロビジョニングを自動的に行うことができるようになる。
【００２９】
本発明の２つの実施形態によれば、ＷＡＰ  ＸＭＬ内でパススルー接続を定義する方法は２つある。それは、スタンドアロン特性によるもの、またはすでに定義されている特性を拡張することによるものである。
【００３０】
実施形態のうちの一方では、ＮＡＰＤＥＦと呼ばれるすでに定義されている特性を、パススルー接続に関連するすべての設定を指定するように拡張することができる。
【００３１】
【表１】
2005080308.tif 000003
【００３２】
次の例は、パススルー接続の設定を定義するためにこのＮＡＰＤＥＦ特性をどのように使用するかを示す。
【００３３】
【表２】
2005080308.tif 000004
【００３４】
図４は、本発明の態様による、装置にパススルー接続をプロビジョニングする処理を示す図である。
【００３５】
開始ブロックの後、処理はブロック４１０に移行し、ここでパススループロビジョニングパラメータが取得される。パラメータは、異なる多くの方法で取得することができる。例えばパラメータを、モバイル装置に関連するＳＩＭカードに格納したり、プログラムによって装置に転送したりすることができる。ブロック４２０に移行すると、パラメータは装置に自動的に組み込まれる。このようにユーザは、パススルー接続に関連するすべてのパラメータを手動で設定する必要がない。ブロック４３０に移行すると、パススルーに接続するために装置が使用するネットワーク接続を決定することができる。これは、異なる多くの方法で達成することができる。例えば、装置には接続がすでにわかっている場合がある。あるいは、装置が新しい接続を学ぶと、これらの接続を装置に組み込むことができる。ブロック４４０に移行すると、パススルー接続は、決定されたネットワーク接続に基づいて更新することができる。次いでこの処理は、終了ブロックに移行し、他のアクションの処理に戻る。
【００３６】
上記の明細書、例、およびデータは、本発明の構成の製造および使用の完全な説明を提供する。本発明の多くの実施形態は、本発明の意図および範囲から逸脱することなく作成することができるので、本発明は、添付の特許請求の範囲に存する。
【図面の簡単な説明】
【００３７】
【図１】本発明の態様による一実施形態の例で使用できるコンピューティング装置の例を示す図である。
【図２】本発明の態様による一実施形態の例で使用できるモバイル装置の例を示す図である。
【図３】本発明の態様によるパススループロビジョニングシステムの概略を示す機能ブロック図である。
【図４】本発明の態様による、装置にパススルー接続をプロビジョニングする処理を示す図である。
【符号の説明】
【００３８】
１００  コンピューティング装置
１０２  処理ユニット
１０４  システムメモリ
１０５  オペレーティングシステム
１０６  プログラムモジュール
１０７  プログラムデータ
１０９  リムーバブル記憶装置
１１０  非リムーバブル記憶装置
１１２  入力装置
１１４  出力装置
１１６  通信接続
１１８  他のコンピューティング装置
２２８  ディスプレイ
２３２  キーパッド
２４０  通信接続
２６０  プロセッサ
２６２  メモリ
２６８  記憶装置
２７０  電源装置
２７２  無線インターフェース層
２７４  音声インターフェース
３１０  サーバ
３２０  モバイル装置
３４０  企業Ｗｅｂサイト
３５０  ＨＴＭＬインターネットＷｅｂサイト
３５６  ＧＰＲＳ  ２
３５８  ＤＴＰＴ
３６０  ＧＰＲＳ  １
３６２  ＲＡＳ  １
３６４  ＳＭＳＣ
３６６  ＭＭＳ  Ｗｅｂサイト
３６８  ＭＭＳゲートウェイ
３７８  ＷＡＰ  Ｗｅｂサイト
３８０  プロキシ
【図１】
2005080308.tif 000005
【図２】
2005080308.tif 000006
【図３】
2005080308.tif 000007
【図４】
2005080308.tif 000008